(57)【要約】【課題】吐出口から吐出されて造形されていく泡の様子の視認性を高めたフォーマーディスペンサー及びフォーマーディスペンサー付き容器を提供する。【解決手段】ノズル２２と、容器本体２に収容されている内容物を空気と混合してノズル２２の吐出口２５から泡状に吐出させる泡吐出機構３０と、を備えたフォーマーディスペンサー３であって、ノズル２２が、容器本体２の軸方向に対して側方に向けて延びるとともに、ノズル２２の軸心を中心として周方向に間隔を並べて並ぶ複数の吐出口２５を備えることを特徴とするフォーマーディスペンサー３及び、このフォーマーディスペンサー３と容器本体２とを有するフォーマーディスペンサー付き容器１。【選択図】図４
2020019514.tif 000002
【特許請求の範囲】
【請求項１】
ノズルと、容器本体に収容されている内容物を空気と混合して前記ノズルの吐出口から泡状に吐出させる泡吐出機構と、を備えたフォーマーディスペンサーであって、
前記ノズルが、前記容器本体の軸方向に対して側方に向けて延びるとともに、該ノズルの軸心を中心として周方向に間隔を並べて並ぶ複数の前記吐出口を備えることを特徴とするフォーマーディスペンサー。
【請求項２】
複数の前記吐出口が、それぞれ前記ノズルの先端に該先端に開放された切欠きとして設けられている、請求項１に記載のフォーマーディスペンサー。
【請求項３】
複数の前記吐出口が、それぞれ前記ノズルを内外方向に貫通する貫通孔として設けられている、請求項１に記載のフォーマーディスペンサー。
【請求項４】
前記貫通孔の少なくとも前記ノズルの先端側における内面が、前記ノズルの内部側から外部側に向けて徐々に前記ノズルの先端に接近する方向に傾斜している、請求項３に記載のフォーマーディスペンサー。
【請求項５】
前記ノズルが、
前記容器本体の軸方向に対して側方に向けて延びるノズル基部と、
それぞれ前記ノズル基部の先端から該ノズルの軸心を中心とした径方向に分岐するとともに互いに周方向に間隔を並べて配置され、先端に前記吐出口を備えた複数の分岐ノズルとを有する、請求項１に記載のフォーマーディスペンサー。
【請求項６】
前記ノズル基部の先端に、該ノズル基部と同軸に連なるとともに前記ノズルの軸心に配置された前記吐出口を備えた中心ノズル部が設けられている、請求項５に記載のフォーマーディスペンサー。
【請求項７】
前記ノズル基部の先端に、該ノズル基部と同軸に連ねて設けられ、複数の前記分岐ノズルの前記吐出口よりも前記ノズルの軸方向に向けて突出するストッパ部が設けられている、請求項５に記載のフォーマーディスペンサー。
【請求項８】
前記泡吐出機構が、前記ノズルが設けられた押下げヘッドが押下げ操作されると作動するポンプ機構である、請求項１〜７の何れか１項に記載のフォーマーディスペンサー。
【請求項９】
請求項１〜８の何れか１項に記載された前記フォーマーディスペンサーと、
前記フォーマーディスペンサーが装着された前記容器本体と、を有することを特徴とするフォーマーディスペンサー付き容器。
【発明の詳細な説明】
【技術分野】
【０００１】
本発明は、内容物を泡状に吐出させるフォーマーディスペンサー及びフォーマーディスペンサー付き容器に関する。
【背景技術】
【０００２】
例えばハンドソープ、ボディーソープ、シャンプー等の内容物を収容する容器として、内容物を収容する容器本体に、ノズルが設けられた押下げヘッドと、押下げヘッドが押下げ操作されると容器本体に収容されている内容物を空気と混合してノズルの吐出口から泡状に吐出させる泡吐出機構（例えばポンプ機構）と、を備えたフォーマーディスペンサーを装着したフォーマーディスペンサー付き容器が知られている。
【０００３】
また、このようなフォーマーディスペンサー付き容器として、吐出口を下方に向けた複数のノズルを押下げヘッドに設け、これらのノズルの位置及び径を所定の設定とすることで、押下げヘッドを押し下げて泡状の内容物を吐出させたときに、ある形態を模した泡の造形物が形成されるようにして、ノズルから吐出された泡の見た目の楽しさを向上させるようにしたものが知られている（例えば、特許文献１参照）。
【先行技術文献】
【特許文献】
【０００４】
【特許文献１】特開２０１０−１４９０６０号公報
【発明の概要】
【発明が解決しようとする課題】
【０００５】
しかし、特許文献１に記載された従来のフォーマーディスペンサー付き容器では、複数のノズルの吐出口が何れも下方（押下げヘッドの押下げ方向と同一方向）に向けられているので、吐出口から吐出されて造形されていく泡の様子がノズルによって遮られて視認し難いという問題があった。
【０００６】
本発明の目的は、吐出口から吐出されて造形されていく泡の様子の視認性を高めたフォーマーディスペンサー及びフォーマーディスペンサー付き容器を提供することにある。
【課題を解決するための手段】
【０００７】
本発明のフォーマーディスペンサーは、ノズルと、容器本体に収容されている内容物を空気と混合して前記ノズルの吐出口から泡状に吐出させる泡吐出機構と、を備えたフォーマーディスペンサーであって、前記ノズルが、前記容器本体の軸方向に対して側方に向けて延びるとともに、該ノズルの軸心を中心として周方向に間隔を並べて並ぶ複数の前記吐出口を備えることを特徴とする。
【０００８】
本発明のフォーマーディスペンサーは、上記構成において、複数の前記吐出口が、それぞれ前記ノズルの先端に該先端に開放された切欠きとして設けられているのが好ましい。
【０００９】
本発明のフォーマーディスペンサーは、上記構成において、複数の前記吐出口が、それぞれ前記ノズルを内外方向に貫通する貫通孔として設けられているのが好ましい。
【００１０】
本発明のフォーマーディスペンサーは、上記構成において、前記貫通孔の少なくとも前記ノズルの先端側における内面が、前記ノズルの内部側から外部側に向けて徐々に前記ノズルの先端に接近する方向に傾斜しているのが好ましい。
【００１１】
本発明のフォーマーディスペンサーは、上記構成において、前記ノズルが、前記容器本体に対して側方に向けて延びるノズル基部と、それぞれ前記ノズル基部の先端から該ノズルの軸心を中心とした径方向に分岐するとともに互いに周方向に間隔を並べて配置され、先端に前記吐出口を備えた複数の分岐ノズルとを有するのが好ましい。
【００１２】
本発明のフォーマーディスペンサーは、上記構成において、前記ノズル基部の先端に、該ノズル基部と同軸に連なるとともに前記ノズルの軸心に配置された前記吐出口を備えた中心ノズル部が設けられているのが好ましい。
【００１３】
本発明のフォーマーディスペンサーは、上記構成において、前記ノズル基部の先端に、該ノズル基部と同軸に連ねて設けられ、複数の前記分岐ノズルの前記吐出口よりも前記ノズルの軸方向に向けて突出するストッパ部が設けられているのが好ましい。
【００１４】
本発明のフォーマーディスペンサーは、上記構成において、前記泡吐出機構が、前記ノズルが設けられた押下げヘッドが押下げ操作されると作動するポンプ機構であるのが好ましい。
【００１５】
本発明のフォーマーディスペンサー付き容器は、上記フォーマーディスペンサーと、前記フォーマーディスペンサーが装着された前記容器本体と、を有することを特徴とする。
【発明の効果】
【００１６】
本発明によれば、吐出口から吐出されて造形されていく泡の様子の視認性を高めたフォーマーディスペンサー及びフォーマーディスペンサー付き容器を提供することができる。
【図面の簡単な説明】
【００１７】
【図１】本発明の第１実施形態に係るフォーマーディスペンサー付き容器の一部切欠き側面図である。
【図２】ノズルの先端部を拡大して示す斜視図である。
【図３】ノズルから内容物を吐出している様子を示す一部切欠き側面図である。
【図４】ノズルから内容物を吐出している様子を示す斜視図である。
【図５】（ａ）はノズルの変形例を示す斜視図であり、（ｂ）は同図（ａ）におけるＡ−Ａ線に沿う断面図である。
【図６】（ａ）はノズルのさらに別の変形例を示す斜視図であり、（ｂ）は同図（ａ）に示す吐出口の形状を示す図である。
【図７】本発明の第２実施形態に係るフォーマーディスペンサー付き容器のノズルから内容物を吐出している状態の一部切欠き側面図である。
【図８】図７に示すフォーマーディスペンサー付き容器のノズルから吐出された泡状の内容物の形態を示す説明図である。
【図９】図７に示すフォーマーディスペンサー付き容器のノズルから吐出された泡状の内容物の他の形態を示す説明図である。
【図１０】図７に示すノズルの変形例を示す一部切欠き側面図である。
【発明を実施するための形態】
【００１８】
以下、本発明のフォーマーディスペンサー及びフォーマーディスペンサー付き容器の実施形態について、図面を参照しつつ詳細に例示説明する。
【００１９】
なお、本明細書及び特許請求の範囲においては、「上方」、「下方」は図１に示す姿勢における「上方」、「下方」を意味するものとする。
【００２０】
図１に示す本発明の第１実施形態に係るフォーマーディスペンサー付き容器１は、容器本体２の口部２ａに本発明の一実施の形態に係るフォーマーディスペンサー３を装着したものである。
【００２１】
容器本体２は、円筒状の口部２ａの下端に有底筒状の胴部２ｂ（図１においては上側の一部のみを示す。）が一体に設けられたボトル形状となっており、その内部には、例えば、ハンドソープ、ボディーソープ、シャンプー等の、空気と混合することで泡状化させることが可能な内容物が収容される。
【００２２】
容器本体２としては、例えばポリエチレン、ポリエステル、ポリプロピレン等の合成樹脂製のブロー成形容器を用いることができるが、容器本体２の材質や形状等は種々変更可能である。
【００２３】
フォーマーディスペンサー３は、泡吐出具とも呼ばれるものであり、容器本体２の口部２ａに装着されて容器本体２に収容されている内容物を所定量ずつ泡状にして吐出させることができる。フォーマーディスペンサー３は、装着部１０、押下げヘッド２０及び泡吐出機構としてのポンプ機構３０を有している。
【００２４】
装着部１０は合成樹脂材料により有頂円筒状に形成され、内周面に設けられた雌ねじ１０ａを口部２ａの外周面に設けられた雄ねじ２ｃにねじ結合させることで容器本体２の口部２ａに着脱自在に装着される。すなわち、フォーマーディスペンサー３は、装着部１０を口部２ａにねじ結合させることで容器本体２に装着される。
【００２５】
なお、装着部１０は、容器本体２に例えば打栓等の他の手段によって装着される構成とすることもできる。
【００２６】
装着部１０の頂壁には上方に向けて突出する円筒状の筒状部１１が一体に設けられ、筒状部１１の内側には、ポンプ機構３０の図示しないステムが筒状部１１と同軸状に配置されている。
【００２７】
押下げヘッド２０は天面が略ドーム状となる有頂円筒状のヘッド本体２１を有しており、ヘッド本体２１の下端においてポンプ機構３０の図示しないステムの上端に固定されている。押下げヘッド２０はステムとともに上下方向（装着部１０に接近、離反する方向）に移動自在となっており、使用者等によって押下げ操作されることで、図１に示す位置から下方（装着部１０に接近する方向）に移動することができる。
【００２８】
ヘッド本体２１の側部にはノズル２２が一体に設けられている。本実施の形態では、押下げヘッド２０のノズル２２は、上壁２２ａ、下壁２２ｂ及び一対の側壁２２ｃを有する横断面が略矩形の角筒状に形成され、ヘッド本体２１の側部から容器本体２の軸方向に対して側方に、すなわち押下げヘッド２０の押下げ方向に対して垂直な方向（水平方向）に延びている。ノズル２２の内部空間は、図示しないステムの内部空間に連通しており、当該ステムを介してポンプ機構３０から圧送された泡状の内容物が供給される。
【００２９】
ヘッド本体２１の下面には筒状部１１と同軸の円筒状のカバー筒２３が一体に設けられている。押下げヘッド２０が押下げ操作されて下方に向けて移動すると、カバー筒２３は筒状部１１の外側を移動する。
【００３０】
図１、図２に示すように、ノズル２２の先端（ヘッド本体２１に連なる端部とは反対側の端部）は開口しており、当該開口は、ポンプ機構３０から圧送されてきた内容物を外部に向けて吐出する主吐出口２４となっている。
【００３１】
ノズル２２の先端には、主吐出口２４に加えて、４つの吐出口２５がノズル２２の軸心を中心として周方向に間隔を空けて並べて設けられている。より具体的には、ノズル２２の上壁２２ａ、下壁２２ｂ、一方の側壁２２ｃ及び他方の側壁２２ｃに、それぞれ１つの吐出口２５が設けられている。４つの吐出口２５は、それぞれノズル２２の先端に、当該先端に開放された半円形状の切欠きとして設けられ、主吐出口２４に連なっている。
【００３２】
ポンプ機構３０は、装着部１０に支持されて筒状部１１及び容器本体２の内部に配置されている。ポンプ機構３０は、押下げヘッド２０が押下げ操作されて図示しないステムが押下げヘッド２０とともに下方に向けて移動することにより作動して、容器本体２に収容されている内容物を空気と混合して泡状とし、泡状となった内容物を、ステムを通してノズル２２に圧送する。ポンプ機構３０からノズル２２に圧送された泡状の内容物は、主吐出口２４及び複数の吐出口２５から外部に吐出される。
【００３３】
押下げヘッド２０の押下げ操作が解除されて押下げヘッド２０とともにステムが押し下げられる前の初期位置に復帰すると、当該復帰動作において容器本体２に収容されている内容物がポンプ機構３０の内部に取り込まれる。そして、次に押下げヘッド２０が押下げ操作されたときに、ポンプ機構３０に取り込まれた内容物がノズル２２に向けて圧送される。
【００３４】
なお、ポンプ機構３０としては、押下げヘッド２０が押下げ操作されることで作動し、容器本体２に収容されている内容物を空気と混合してノズル２２の主吐出口２４及び吐出口２５から泡状に吐出させることができるものであれば、種々の構成のものを用いることができる。例えば、本実施の形態では、ポンプ機構３０として、それぞれステムに連通する空気用と内容物用の２つのシリンダと、それぞれのシリンダに対応した２つのピストンと、内容物用のシリンダに接続された吸引管と、内容物用のシリンダと吸引管との間に設けられた逆止弁とを備え、ステムが初期位置に復帰動作すると２つのピストンが作動して容器本体２の内部の内容物が吸引管を通して内容物用のシリンダに取り込まれるとともに空気用のシリンダに空気が取り込まれ、ステムが押下げヘッド２０とともに押下げ操作されると２つのピストンが逆方向に作動して内容物用のシリンダに取り込まれている内容物と空気用シリンダに取り込まれている空気とが混合されつつノズル２２に圧送される構成のものが用いられている。
【００３５】
上記構成を有するフォーマーディスペンサー付き容器１は、容器本体２に内容物を収容した状態とし、押下げヘッド２０を押下げ操作することで、ノズル２２の主吐出口２４及び吐出口２５から泡状の内容物を吐出させることができる。すなわち、ノズル２２の主吐出口２４を手のひらなどで閉塞することなく押下げヘッド２０を押下げ操作することで、ノズル２２の主吐出口２４及び吐出口２５から、泡状の内容物を所定の形状に造形させることなく吐出させることができる。
【００３６】
一方、図３、図４に示すように、ノズル２２の先端を、例えば手のひらなどの吐出対象体４０に押し当てて吐出対象体４０によって主吐出口２４を閉塞した状態とし、この状態で押下げヘッド２０を押下げ操作することで、内容物を主に４つの吐出口２５のみから吐出させることができる。これにより、ポンプ機構３０から圧送されてきた泡状の内容物を、４つの吐出口２５からノズル２２の軸方向に直交する方向に向けて吐出対象体４０の表面に沿って放射状に吐出させて、図４に示すように、ノズル２２から吐出対象体４０の上に吐出された泡状の内容物を、４つの花弁を有する花のような形状の立体的な造形物５０に形成することができる。したがって、ノズル２２から吐出された泡状の内容物の見た目の楽しさを向上させ、これにより、フォーマーディスペンサー付き容器１ないしフォーマーディスペンサー３の商品価値を高めることができる。
【００３７】
ここで、本実施の形態においては、ノズル２２を、容器本体２の軸方向に対して側方（押下げヘッド２０の側方）に向けて延びるとともに、４つの吐出口２５を、ノズル２２の軸心を中心として周方向に間隔を並べて設けた構成としている。これにより、押下げヘッド２０を押下げ操作して吐出対象体４０に泡状の内容物を所定の形状の造形物５０として吐出させる際に、手のひらなどの吐出対象体４０をノズル２２に対して側方から押し当てることができるので、ノズル２２からの吐出対象体４０に向けて吐出される泡状の内容物がノズル２２に遮られて視認し難くなることがない。したがって、４つの吐出口２５から吐出されて所定形状の造形物５０に造形されていく泡状の内容物の様子を、ノズル２２によって遮られることなく良好に視認することができる。
【００３８】
このように、本実施の形態のフォーマーディスペンサー付き容器１によれば、ノズル２２を、容器本体２の軸方向に対して側方に向けて延びるとともに、複数の吐出口２５が、ノズル２２の軸心を中心として周方向に間隔を並べて設けられた構成としたので、ノズル２２の複数の吐出口２５から吐出された泡状の内容物が所定の造形物５０に造形されていく様子の視認性を高めることができる。これにより、フォーマーディスペンサー付き容器１ないしフォーマーディスペンサー３の商品価値をさらに高めることができる。
【００３９】
また、ノズル２２の複数の吐出口２５から吐出される泡状の内容物の視認性を高めることができるので、当該内容物の吐出状態を目視で確認しつつ押下げヘッド２０の押下げ量を調節することができ、これにより、泡状の内容物の吐出量の調整を容易に行うことが可能となる。
【００４０】
さらに、複数の吐出口２５を、それぞれノズル２２の先端に該先端に開放された切欠きとして設けるようにした場合には、簡単な構成で、ノズル２２から吐出された泡状の内容物の見た目の楽しさを向上させつつ、複数の吐出口２５から吐出されて造形されていく泡状の内容物の様子の視認性を高めることができる。
【００４１】
さらに、泡吐出機構としてポンプ機構３０を用いた場合には、泡吐出機構の構成を簡素化して、上記効果を有するフォーマーディスペンサー付き容器１のコストを低減させることができる。
【００４２】
図５（ａ）、図５（ｂ）に示すように、ノズル２２は、それぞれノズル２２を内外方向に貫通する貫通孔となる複数の吐出口２６が、ノズル２２の軸心を中心として周方向に間隔を空けて並べて設けられた構成とすることもできる。図５には、ノズル２２の上壁２２ａ、下壁２２ｂ、一方の側壁２２ｃ及び他方の側壁２２ｃに、それぞれ２つの吐出口２６を設けた場合を示す。
【００４３】
当該変形例の吐出口２６を備えたフォーマーディスペンサー付き容器１においても、ノズル２２から吐出対象体４０の上に、立体的な形状の造形物５０となるように泡状の内容物を吐出させることができる。
【００４４】
また、それぞれの吐出口２６を貫通孔としたことにより、泡状の内容物を吐出対象体４０の上に吐出させる際に、ノズル２２の先端が吐出対象体４０の表面に密着しない状態となった場合であっても、それぞれ独立した貫通孔として構成された吐出口２６から所期した量の泡状の内容物を吐出させることができる。これにより、ノズル２２から吐出対象体４０の上に吐出された泡状の内容物を、より精度よく、所定の形状の造形物５０に形成させることができる。
【００４５】
また、図５（ｂ）に示すように、当該変形例における合計８つの吐出口２６は、それぞれノズル２２の内部側から外部側に向けて貫通するが、その貫通孔となる吐出口２６の、ノズル２２の先端側における内面は、それぞれノズル２２の内部側から外部側に向けて徐々にノズル２２の先端に接近する方向に傾斜する傾斜面２６ａとなっている。
【００４６】
このように、それぞれの吐出口２６を、上記の傾斜面２６ａを備えた構成としたことにより、ノズル２２に圧送された泡状の内容物が、それぞれの吐出口２６を通って外部に吐出されるときに、傾斜面２６ａによって泡状の内容物が吐出対象体４０に向けて吐出されるようにして、ノズル２２から吐出された泡状の内容物をより精度よく所定の形状の造形物５０に形成させることができる。
【００４７】
なお、それぞれの吐出口２６は、少なくともノズル２２の先端側における内面が傾斜面２６ａに構成されていれば、ノズル２２の後端側（ヘッド本体２１の側）における内面も同様の方向に傾斜する傾斜面に構成するようにしてもよい。
【００４８】
図６（ａ）、図６（ｂ）に示すように、ノズル２２は、その先端に、当該先端に開放された略Ｙ字形状の切欠きとして構成された４つの吐出口２７が設けられた構成とすることもできる。図６には、ノズル２２の上壁２２ａ、下壁２２ｂ、一方の側壁２２ｃ及び他方の側壁２２ｃに、それぞれ１つの略Ｙ字形状の吐出口２７を設けた場合を示す。
【００４９】
それぞれの吐出口２７は、ノズル２２の先端に開放されるとともにノズル２２の軸方向に沿って真っ直ぐに延びる基部２７ａと、基部２７ａの端部からノズル２２の軸方向に対して傾斜した方向に延びる分岐部２７ｂと、基部２７ａの端部からノズル２２の軸方向に対して分岐部２７ｂとは反対側に傾斜した方向に延びる分岐部２７ｃとを備えることで略Ｙ字形状に形成されている。
【００５０】
このような形状の吐出口２７をノズル２２に設けることで、ノズル２２の複数の吐出口２７から吐出された泡状の内容物による造形物５０をさらに立体的な形態のものとして、ノズル２２から吐出された泡状の内容物の見た目の楽しさをさらに向上させることができる。
【００５１】
図７は、本発明の第２実施形態に係るフォーマーディスペンサー付き容器１００のノズル２２から内容物を吐出している状態の一部切欠き側面図である。なお、図７においては、前述した部材に対応する部材には同一の符号を付してある。
【００５２】
図７に示す第２実施形態に係るフォーマーディスペンサー付き容器１００では、押下げヘッド２０のヘッド本体２１から延びるノズル２２はノズル基部を構成しており、当該ノズル基部であるノズル２２の先端には、それぞれノズル２２の先端から該ノズル２２の軸心を中心とした径方向に向けて分岐する複数の分岐ノズル２８が設けられている。図示する場合では、ノズル２２の先端に８本の分岐ノズル２８が互いに周方向に等しい間隔を空けて放射状に並べて配置されている。
【００５３】
８つの分岐ノズル２８は、それぞれノズル２２との連結部分を起点として前方側に向けて曲げられており、その先端側の所定の範囲はノズル２２の軸心の径方向外側に向けて延びている。それぞれの分岐ノズル２８の先端には、斜め前方（図７中において左上を向く方向）に向けて開口する吐出口２８ａが設けられている。これらの吐出口２８ａは、周方向に等間隔に並べて配置されており、ノズル２２に圧送された泡状の内容物は、これらの８つの吐出口２８ａから外部に向けて吐出される。
【００５４】
ノズル基部であるノズル２２の先端には、ノズル２２の先端に連なる中心ノズル２９が一体に設けられている。中心ノズル２９は、ノズル２２と同軸に配置されており、その先端に設けられた吐出口２９ａはノズル２２の軸心すなわち８つの吐出口２８ａの中心に配置されている。
【００５５】
第２実施形態に係るフォーマーディスペンサー付き容器１００においても、８つの分岐ノズル２８の先端側部分を、例えば手のひらなどの吐出対象体４０に押し当て、この状態で押下げヘッド２０を押下げ操作することで、内容物をそれぞれの分岐ノズル２８の吐出口２８ａ及び中心ノズル２９の吐出口２９ａから吐出させて、図８に示すように、吐出対象体４０の上に吐出された泡状の内容物を、８つの球ないし半球状の部分が周方向に連結されるとともに中心にも球ないし半球状の部分を有する形状の造形物５０に形成することができる。したがって、吐出対象体４０の上に吐出された泡状の内容物の見た目の楽しさを向上させ、これにより、フォーマーディスペンサー付き容器１００の商品価値を高めることができる。
【００５６】
また、第２実施形態に係るフォーマーディスペンサー付き容器１００においても、押下げヘッド２０を押下げ操作して吐出対象体４０に泡状の内容物を所定の形状の造形物５０として吐出させる際に、手のひらなどの吐出対象体４０を分岐ノズル２８に対して側方から押し当てることができるので、吐出対象体４０に向けて吐出される泡状の内容物が分岐ノズル２８やノズル２２に遮られて視認し難くなることを抑制して、複数の吐出口２８ａから吐出されて造形されていく泡状の内容物の様子の視認性を高めることができる。
【００５７】
さらに、第２実施形態に係るフォーマーディスペンサー付き容器１００においては、押下げヘッド２０が押下げ操作されたときにおけるポンプ機構３０の内容物の吐出量、それぞれの分岐ノズル２８ないし中心ノズル２９の内径等の設定を適宜変更ないし調整することで、図９に示すように、吐出対象体４０の上に吐出される泡状の内容物を、８つの球ないし半球状の部分が周方向に等しい間隔を空けて連結されることなく独立に配置されるとともに、中心に球ないし半球状の部分を有する形状の造形物５０に形成することもできる。
【００５８】
ノズル基部であるノズル２２の先端に複数の分岐ノズル２８を設けた構成とする場合には、図１０に示すように、それぞれの分岐ノズル２８を、その先端側の所定の範囲がノズル２２の軸心に平行な方向に延びるとともに、それぞれの吐出口２８ａがノズル２２の軸方向に沿う前方に向けられた構成とすることもできる。この場合、ノズル基部であるノズル２２の先端に、ストッパ部６０を設けるのが好ましい。
【００５９】
ストッパ部６０は、ノズル２２と同軸に当該軸方向に沿って延びる柱部６０ａと、柱部６０ａの先端に一体に連ねて設けられた板状の支持片６０ｂとを有しており、支持片６０ｂは、複数の分岐ノズル２８の吐出口２８ａよりもノズル２２の軸方向の前方側に向けて突出している。
【００６０】
このようなストッパ部６０を設けた構成とすることにより、それぞれの分岐ノズル２８の先端を、例えば手のひらなどの吐出対象体４０に押し当てようとしたとき、分岐ノズル２８より先にストッパ部６０の支持片６０ｂを吐出対象体４０の表面に当接させて、分岐ノズル２８の先端に設けられた吐出口２８ａと吐出対象体４０の表面との間に、所定の間隔を生じさせることができる。したがって、分岐ノズル２８の吐出口２８ａをノズル２２の軸方向に沿う前方に向けて開口させた構成としても、分岐ノズル２８の先端を吐出対象体４０に向けて押し当てようとしたときに、吐出対象体４０の表面と各吐出口２８ａとの間にストッパ部６０により設定された所定の間隔を生じさせることができる。
【００６１】
これにより、各吐出口２８ａから吐出される泡状の内容物が、吐出対象体４０の表面と各吐出口２８ａとの間で立体的な形状で吐出されるようにして、各吐出口２８ａから吐出対象体４０の上に吐出された泡状の内容物によって、所望の形状の造形物５０を確実に形成させることができる。
【００６２】
なお、図１０に示す構成においては、分岐ノズル２８の先端側部分からのストッパ部６０の突出量ないし突出距離を種々変更することにより、各吐出口２８ａから吐出される泡状の内容物により形成される造形物５０の形状を種々変更することができる。また、分岐ノズル２８の先端側部分からのストッパ部６０の突出量ないし突出距離を、より大きく設定することにより、例えば各分岐ノズル２８の吐出口２８ａから、泡状の内容物をジェット状に吐出させる構成にも対応させることができる。
【００６３】
本発明は前記実施の形態に限定されるものではなく、その要旨を逸脱しない範囲で種々変更可能であることはいうまでもない。
【００６４】
例えば、前記実施の形態においては、泡吐出機構として押下げヘッド２０の押下げ操作によって手動で作動するポンプ機構３０を用いているが、例えば、圧縮ガス等の加圧媒体の圧力により内容物を吐出させるエアゾール機構や、電動ポンプ機構などの、種々の構成のものを用いることもできる。また、容器本体２を、その胴部をスクイズ可能な構成とし、泡吐出機構として、容器本体２の胴部がスクイズされたときに内容物を泡状にしてノズル２２から吐出させる構成のものを採用することもできる。
【００６５】
また、図５に示す変形例においては、ノズル２２の主吐出口２４を閉塞した構成とすることもできる。これにより、ノズル２２に供給された泡状の内容物が効率良く各吐出口２６から吐出されるようにして、ノズル２２から吐出対象体４０の上に吐出された泡状の内容物を、より精度よく、所定の形状の造形物５０に形成させることができる。
【００６６】
さらに、各吐出口２５、２６、２７、２８の数や形状、分岐ノズル２８の本数や形状は、上記に限らず、種々変更可能である。
【００６７】
また、図７においては、中心ノズル２９を設けない構成とすることもできる。
【符号の説明】
【００６８】
１    フォーマーディスペンサー付き容器
２    容器本体
２ａ  口部
２ｂ  胴部
２ｃ  雄ネジ
３    フォーマーディスペンサー
１０    装着部
１０ａ  雌ねじ
１１    筒状部
２０    押下げヘッド
２１    ヘッド本体
２２    ノズル（ノズル基部）
２２ａ  上壁
２２ｂ  下壁
２２ｃ  側壁
２３    カバー筒
２４    主吐出口
２５    吐出口
２６    吐出口
２６ａ  傾斜面
２７    吐出口
２７ａ  基部
２７ｂ  分岐部
２７ｃ  分岐部
２８    分岐ノズル
２８ａ  吐出口
２９    中心ノズル
２９ａ  主吐出口
３０    ポンプ機構（泡吐出機構）
４０    吐出対象体
５０    造形物
６０    ストッパ部
６０ａ  柱部
６０ｂ  支持片
１００  フォーマーディスペンサー付き容器
【図１】
2020019514.tif 000003
【図２】
2020019514.tif 000004
【図３】
2020019514.tif 000005
【図４】
2020019514.tif 000006
【図５】
2020019514.tif 000007
【図６】
2020019514.tif 000008
【図７】
2020019514.tif 000009
【図８】
2020019514.tif 000010
【図９】
2020019514.tif 000011
【図１０】
2020019514.tif 000012